(57)【要約】【課題】  エレベータかごの内側面から突出することで狭く感じたり出入りの邪魔になってしまうことのないエレベータかごの手摺装置を提供する。【解決手段】  エレベータかご１の内側面１１に出入口近傍から奥方に向かってガイドレール２を取り付けるとともに、前記ガイドレール２に沿って移動自在な手摺部３を設けた。【選択図】        図１
2005280858.tif 000002
【特許請求の範囲】
【請求項１】
エレベータかごの内側面に出入口近傍から奥方に向かってガイドレールを取り付けるとともに、前記ガイドレールに沿って移動自在な手摺部を設けて成ることを特徴とするエレベータかごの手摺装置。
【請求項２】
手摺部に荷物掛け部を形成して成ることを特徴とするエレベータかごの手摺装置。
【発明の詳細な説明】
【技術分野】
【０００１】
本発明は、エレベータかご内に設ける手摺装置に関するものである。
【背景技術】
【０００２】
従来より、エレベータかごの内側面に手摺を設けたものが知られている（例えば特許文献１参照）。これは、略箱状をしたエレベータかごの内側面や内奥面に手摺を固定したもので、手摺は、エレベータかごの内側面や内奥面から突設される支持部と、支持部によって支持されて内側面や内奥面に沿って配置される棒状の手摺本体とからなり、出入口からエレベータかごに乗ったエレベータの利用者は、前記手摺本体を手で掴んで身体の安定を図るものである。
【０００３】
このような手摺を設けたエレベータかごにあっては、手摺本体が内側面や内奥面からエレベータかごの内方に向かって突出した状態で配置されることとなってエレベータかご内が狭く感じられるものであり、手摺本体をエレベータかごの内側面の出入口近傍にまで伸ばして配置すると、出入口から出入りする利用者の邪魔になってしまうものであった。また、利用者が荷物を提げたりして両手が使えない場合、その荷物を床面に置かない限り階床釦を押したりすることができないものであった。
【特許文献１】特開２００３−９５５５７号公報
【発明の開示】
【発明が解決しようとする課題】
【０００４】
本発明は上記のような点に鑑みなされたものであって、その目的とするところは、エレベータかごの内側面から突出することで狭く感じたり出入りの邪魔になってしまうことのないエレベータかごの手摺装置を提供することにある。
【課題を解決するための手段】
【０００５】
上記課題を解決するために請求項１に係る発明にあっては、エレベータかご１の内側面１１に出入口近傍から奥方に向かってガイドレール２を取り付けるとともに、前記ガイドレール２に沿って移動自在な手摺部３を設けて成ることを特徴とするものである。このような構成とすることで、ガイドレール２を従来の手摺のように内側面１１から大きく突出しないように設けることができて、エレベータかご１内が狭く感じたり出入口から出入りする利用者の邪魔になるといったことがないものである。
【０００６】
また、請求項２に係る発明にあっては、請求項１の発明において、手摺部３に荷物掛け部３２を形成して成ることを特徴とするものである。このような構成とすることで、利用者が荷物を提げたりして両手が使えない場合でも、手摺部３に形成した荷物掛け部３２に荷物を引掛けることができて、荷物を床面に置くことなく階床釦を押したりして操作部を操作することができる。
【発明の効果】
【０００７】
本発明にあっては、エレベータかごの内側面の幅方向全長に亘って従来の手摺のように内側面から大きく突出してエレベータかご内が狭く感じたり見苦しいといったことがなく、また出入口の近傍であっても出入りする利用者の邪魔になるといったこともないものである。
【発明を実施するための最良の形態】
【０００８】
以下、本発明を添付図面に示す実施形態に基づいて説明する。
【０００９】
エレベータかご１は略箱状をしたもので、その一面（図示しないが図３における手前側の面）に出入口が形成してあるとともに、該出入口を開閉する扉が設けてある。エレベータかご１の出入口に隣接した内側面１１の一方、特に階床釦等の操作部がある側には、出入口側から奥方に向かって手摺装置Ａが設けてある。なお、図３中の９はエレベータかご１の内奥面に設けた鏡である。
【００１０】
手摺装置Ａは、エレベータかご１の内側面１１に略水平に固定されるガイドレール２と、ガイドレール２に沿って移動自在な手摺部３とで主体が構成される。
【００１１】
ガイドレール２は、図２（ｂ）に示すように前面（すなわちエレベータかご１の内方を向く面であって図２（ｂ）において右側の面）に上下に対向するリップ部２１を有する断面略Ｃ字状のチャンネル形状のもので、その内部が手摺部３の移動部３１が移動自在に配設される移動空間２０となっている。ガイドレール２の内側面１１からの突出長さは、数ｃｍ〜１０ｃｍ程度であり、上述した従来例における手摺本体の内側面からの突出長さよりも短くて利用者の邪魔にならないものである。このガイドレール２は長手方向が略水平となるように内側面１１の出入口近傍から奥方に向かって固定される。
【００１２】
また、ガイドレール２の長手方向の両端部には、図１に示すように移動空間２０の長手方向の開口を閉塞するエンドカバー２２が取り付けてある。更に本実施形態では、ガイドレール２の上下両リップ部２１からゴム等の変形容易な材料で形成されたカバー２３が設けてあり、移動空間２０の両リップ部２１間の開口をほぼ閉塞するとともに手摺部３の移動の妨げにならないものである。
【００１３】
手摺部３は、図２に示すように、ガイドレール２の移動空間２０内に挿入されてその長手方向に移動する移動部３１と、該移動部３１から一体に突出するくびれ部３３及び支持部３４と該支持部３４に支持される荷物掛け部３２とからなる。移動部３１は、ガイドレール２の移動空間２０内に挿入される断面矩形状をしたもので、その上下端部にはボールプランジャーやベアリング等の転動部３７が設けてあって移動空間２０の上下面を転動することで移動空間２０内を長手方向に移動自在となっている。そして、移動部３１の前面すなわちエレベータかご１内方を向く面からはくびれ部３３が突出してある。
【００１４】
くびれ部３３は、移動部３１から突出してガイドレール２のリップ部２１間を挿通して外側に導出されると共に、その先端に形成される膨出部が荷物掛け部３２の端部を軸支する軸支部３４となっている。荷物掛け部３２は、横片３５と該横片３５の先端から上方又は斜め上方に突出す引掛け片３６を一体に形成した略Ｌ字状をしたものである。この横片３５の基部側の端部には軸部３５ａが上下に突出してあると共に、上記軸支部３４には受孔３４ａが上下に形成してあり、軸部３５ａを受孔３４ａに嵌入することで荷物掛け部３２が略水平方向に回動可能となるように軸支部３４に軸支される。本実施形態では、荷物掛け部３２の横片３５がエレベータかご１の内側面１１からほぼ垂直に起こした状態と、横片３５がエレベータかご１の内側面１１に沿うように倒して折り畳んだ状態との間の９０°間を回動可能にして起倒自在としてある。
【００１５】
また荷物掛け部３２には、前述したように横片３５が内側面１１からほぼ垂直に突出した状態でロックするためのロック機構が設けてある。これは、横片３５が内側面１１からほぼ垂直に突出した状態で横片３５の上端部又は下端部に設けた突没自在に突出するピン（図示せず）が軸支部３４に形成したピン孔（図示せず）に嵌入されることでロックされる。また、ロックを解除するには、横片３５の下面に設けたロック解除釦６１を押すことで、このロック解除釦６１と連動して前記ピンを没入させる機構によってピンのピン孔からの嵌入が外れ、これによりロックが解除される。
【００１６】
このような手摺装置Ａにおいては、出入口よりエレベータかご１に乗った利用者は、折り畳み状態の荷物掛け部３２を起こしてその引掛け片３６を掴んで手摺として利用して身体の安定を図ったり、あるいは利用者が手に荷物を提げている場合には、使用状態とした荷物掛け部３２の引掛け片３６に荷物を引掛けて階床釦を押したりして操作部を操作することができる。そしてこの時、手で掴んだり荷物を引掛けたりした引掛け片３６を奥方に向けてガイドレール２に沿って移動させることで、従来の手摺のように手を持ち替えたり摺動させたりすることなく手摺部３の引掛け片３６を掴んだまま奥方へ進むことができ、また荷物を手摺部３の引掛け片３６に引掛けた状態でそのまま奥方へ移動させることができる。
【００１７】
また、手摺部３をガイドレール２の長手方向の任意の位置又は所定の位置に固定する固定機構を設けてもよい。固定機構としては特に限定されず、例えばガイドレール２のリップ部２１を挟持したりガイドレール２内面に係合して固定する係合部を設けたり、あるいは手摺部３の転動部３７の転動をロックする機構であってもよい。このような場合には、固定及び固定解除を切替え操作する操作部６２を手摺部３の横片３５に設けると使い勝手のよいものとなる。
【００１８】
以上のような構成によれば、エレベータかご１の内側面１１に出入口近傍から奥方に向かってガイドレール２を取り付けるとともに、前記ガイドレール２に沿って移動自在な手摺部３を設けたことで、エレベータかご１の内側面１１の幅方向全長に亘って従来の手摺のように内側面から大きく突出してエレベータかご１内が狭く感じたり見苦しいといったことがなく、また出入口の近傍であっても出入りする利用者の邪魔になるといったこともないものである。また、利用者が荷物を提げたりして両手が使えない場合でも、手摺部３に形成した荷物掛け部３２に荷物を引掛けることができて、荷物を床面に置くことなく階床釦を押したりして操作部を操作することができる。
【図面の簡単な説明】
【００１９】
【図１】本発明の一実施形態の正面図である。
【図２】同上の手摺部を設けた部分を示し、（ａ）は平面図であり、（ｂ）は側面図であり、（ｃ）は下面図である。
【図３】エレベータかご内の斜視図である。
【符号の説明】
【００２０】
１    エレベータかご
１１  内側面
２    ガイドレール
３    手摺部
【図１】
2005280858.tif 000003
【図２】
2005280858.tif 000004
【図３】
2005280858.tif 000005